(57)【要約】【解決手段】防振用床支持脚構造は、浴室の床基盤１  上に配設された防振材２  と、該防振材に立設された支持脚３  と、該支持脚に支えられた床下地材５  とを備える。該防振材は、エラストマーで構成され、かつ、関係式Ｅ＝ΔＥ×支持脚接地面積率＞１．５ジュール（式中、Ｅはエネルギー、ΔＥは圧縮荷重において防振材単位面積当たり、初期荷重Ｗ（３６０ｋｇ）にその荷重の増分ΔＷ（１４０ｋｇ）が掛かった時の防振材単位面積当たりの吸収エネルギー、支持脚接地面積率は１ユニット当たりの支持脚の接地面積である。）を満たす。【効果】床支持脚構造が床への衝撃を吸収して高い遮音性能を発現することができる。【選択図】    図１
2004324118.tif 000002
【特許請求の範囲】
【請求項１】
浴室の床基盤上に配設された防振材と、該防振材に立設された支持脚と、該支持脚に支えられた床下地材とを備えた防振構造において、該防振材は、エラストマーで構成され、かつ、下記関係式（Ｉ）
Ｅ＝ΔＥ×支持脚接地面積率＞１．５ジュール    ……（Ｉ）
（式中、Ｅはエネルギー、ΔＥは圧縮荷重において防振材単位面積当たり、初期荷重Ｗ（３６０ｋｇ）にその荷重の増分ΔＷ（１４０ｋｇ）が掛かった時の防振材単位面積当たりの吸収エネルギー、支持脚接地面積率は１ユニット当たりの支持脚の接地面積である。）
を満たすことを特徴とする防振用床支持脚構造。
【請求項２】
二重床の床基盤上に配設された防振材と、該防振材に立設された支持脚と、該支持脚に支えられた床ブロックと、複数の床ブロック上に亘って配された床下地材とを備えた防振構造において、該防振材は、エラストマーで構成され、かつ、下記関係式（ＩＩ）
Ｅ＝ΔＥ×支持脚接地面積率＞７．５ジュール    ……（ＩＩ）
（式中、Ｅはエネルギー、ΔＥは圧縮荷重において防振材単位面積当た利、初期荷重Ｗ（３０ｋｇ）にその荷重の増分ΔＷ（７００ｋｇ）が掛かった時の防振材単位面積当たりの吸収エネルギー、支持脚接地面積率は床面積１ｍ２当たりの支持脚の接地面積である。）
を満たすことを特徴とする防振用床支持脚構造。
【発明の詳細な説明】
【０００１】
【発明の属する技術分野】
本発明は、浴室や二重床のような浮き床における防振用床支持脚構造に関し、より詳しくは、床基盤上に配設された防振材と、該防振材に立設された支持脚と、該支持脚に支えられた床ブロックと、複数の床ブロック上に亘って配された床下地材とを備えた防振用床支持脚構造に関するものである。
【０００２】
【従来の技術】
従来、振用床支持脚構造として、図５に示すように、床支持脚（４１）の下端の防振ゴム（４２）を裁頭逆円錐体状にして、その底面に保形用の穿孔を設けた構造や（特許文献１参照）、図６に示すように、ゴム製の防振基台（５１）上に円筒状の支持脚（５２）を立設し、その内部に補助脚（５３）を保持し、荷重でゴム製の防振基台（５１）が圧縮された際には補助脚（５３）の下端がスラブ（５５）上面に当接する構造が提案されている（特許文献２参照）。しかし、前者の構造では、耐荷重性が十分でなく、室中央に間仕切りを設けたり間仕切りを背に家具等を配置すると床（４４）の沈み込みが大きく、床敷物（４５）や壁紙が破れるなどの問題が生じる。後者の構造では、形状が複雑で製造コストが高くつき、荷重で補助脚（５３）の下端がスラブ（５５）上面に当接していると遮音性能が低下するなどの問題がある。なお、図５中、（４６）は支持ブロック、（４７）は床下地、（４８）は床合板、（４９）はスラブである。
【０００３】
【特許文献１】
特開２００２−２７６１４４号公報。
【０００４】
【特許文献２】
特開２００２−２２７３９６号公報。
【０００５】
【発明が解決しようとする課題】
本発明は、従来技術の上記諸問題を解決することができる、浴室および二重床における防振用床支持脚構造を提供することを課題とする。
【０００６】
【課題を解決するための手段】
本発明者は、圧縮荷重において防振材単位面積当たり初期荷重Ｗにその荷重の増分ΔＷが掛かった時の防振材単位面積当たりの吸収エネルギーが特定値より大きい場合に床支持脚構造が床への衝撃を吸収して高い遮音性能を発現するという知見を得、本発明を完成した。
【０００７】
本発明による第１の防振用床支持脚構造は、浴室の床基盤上に配設された防振材と、該防振材に立設された支持脚と、該支持脚に支えられた床下地材とを備えた防振構造において、該防振材は、エラストマーで構成され、かつ、下記関係式（Ｉ）
Ｅ＝ΔＥ×支持脚接地面積率＞１．５ジュール    ……（Ｉ）
（式中、Ｅはエネルギー、ΔＥは圧縮荷重において防振材単位面積当たり、初期荷重Ｗ（３６０ｋｇ）にその荷重の増分ΔＷ（１４０ｋｇ）が掛かった時の防振材単位面積当たりの吸収エネルギー、支持脚接地面積率は１ユニット当たりの支持脚の接地面積である。）
を満たすことを特徴とするものである。
【０００８】
本発明による第２の防振用床支持脚構造は、二重床の床基盤上に配設された防振材と、該防振材に立設された支持脚と、該支持脚に支えられた床ブロックと、複数の床ブロック上に亘って配された床下地材とを備えた防振構造において、該防振材は、エラストマーで構成され、かつ、下記関係式（ＩＩ）
Ｅ＝ΔＥ×支持脚接地面積率＞７．５ジュール    ……（ＩＩ）
（式中、Ｅはエネルギー、ΔＥは圧縮荷重において防振材単位面積当た利、初期荷重Ｗ（３０ｋｇ）にその荷重の増分ΔＷ（７００ｋｇ）が掛かった時の防振材単位面積当たりの吸収エネルギー、支持脚接地面積率は床面積１ｍ２当たりの支持脚の接地面積である。）
を満たすことを特徴とするものである。
【０００９】
【発明の実施の形態】
初期荷重Ｗは、防振材が実際に使用される際に想定される荷重であり、浴室床と二重床で異なって設定される。浴室床では壁材、天井、浴槽、湯水、人等の荷重の総和で初期荷重Ｗが設定される。二重床では床ブロックと、該床ブロック上に亘って配された床下地材、床合板、床敷物等の荷重の総和で初期荷重Ｗが設定される。浴室床での初期荷重Ｗは３６０ｋｇ、二重床での初期荷重Ｗは３０ｋｇで表される。
【００１０】
荷重の増分ΔＷも、浴室床と二重床で異なって設定される。浴室床では、重量０．５ｋｇの物品（シャンプーボトルなど）を高さ０．５ｍの位置から落下させた時を想定し、算出される運動エネルギー（０．５ｋｇ×０．５ｍ×重力加速度）を、防振材が吸収するために必要な荷重の増分として設定する。二重床では体重２０ｋｇの子供が高さ０．２５ｍ飛び跳ねた時を想定し、算出される運動エネルギー（２０ｋｇ×０．２５ｍ×重力加速度）を、防振材が吸収するために必要な荷重の増分として設定する。浴室床での荷重増分ΔＷは１４０ｋｇで表され、二重床での荷重増分ΔＷは７００ｋｇで表される。
【００１１】
本発明による防振用床支持脚構造では、防振材はエラストマーで構成されている。天然または合成ゴムは、初期弾性率が低く、徐々に弾性率が高くなるため、荷重の吸収エネルギーが小さく、遮音性能が低いという難点を有する。これに対し、エラストマーは初期弾性率が高く、荷重の吸収エネルギーが大きく、遮音性能が高いものである。このようなゴムとエラストマーの物性を、最大荷重に対するたわみ量を同じにして、比較した。この結果を図１のグラフに示す。図１中、基準荷重とは防振材に元もと掛かっている荷重、最大荷重とは浴室床および二重床に実際に掛かる荷重の最大値、Ｗは上記初期荷重、ΔＷは衝撃荷重であり上記荷重増分に相当する。
【００１２】
図１から明らかなように、エラストマーはゴムに比べ大きな吸収エネルギーΔＥを示す。
【００１３】
【実施例】
つぎに、本発明を具体的に説明するために、本発明の実施例を示す。
【００１４】
実施例１（浴室床）
本発明による浴室の防振用床支持脚構造を図２に示す。この構造は、浴室の床基盤（１）  上に配設された防振材（２）  と、防振材（２）  に立設された支持脚（３）  と、支持脚（３）  に支えられた床下地材（５）  とを備えたものである。床下地材（５）  上の床に市販の浴室ユニット（積水化学社製、「ＦＰＮ−１２１６」）が据え付けられる。防振材（２）  はポリ塩化ビニルエラストマー（アプコ社製、「サンプレーンＦＦ４０ＦＡ）で構成され、厚さ１０ｍｍのものである。支持脚（３）  の接地面積は支持脚下端に設けた金属板（６）  の面積で調節される。
【００１５】
実施例２（浴室床）
この防振用床支持脚構造は、防振材をポリオレフィンエラストマーＡ（住友化学社製、「ＴＰＥ７５０５」）で構成されたものに代えた以外、実施例１と同じである。
【００１６】
実施例３（浴室床）
この防振用床支持脚構造は、支持脚１本当たりの接地面積を表１に示すように変えた以外、実施例１と同じである。
【００１７】
比較例１（浴室床）
この防振用床支持脚構造は、防振材を硬度４５の天然ゴム製のものに代えた以外、実施例１と同じである。
【００１８】
比較例２（浴室床）
この防振用床支持脚構造は、防振材を硬度６５の天然ゴム製のものに代えた以外、実施例１と同じである。
【００１９】
比較例３（浴室床）
この防振用床支持脚構造は、防振材を硬度４５の天然ゴム製のものに代え、支持脚１本当たりの接地面積を表１に示すように変えた以外、実施例１と同じである。
【００２０】
実施例４（二重床）
本発明による二重床の防振用床支持脚構造は、図３および図４に示すように、床基盤（１）  上に配設された防振材（２）  と、防振材（２）  に立設された支持脚（３）  と、支持脚（３）  に支えられた床ブロック（４）  と、複数の床ブロック（４）  上に亘って配された床下地材（５）  とを備えたものである。床下地材（５）  はパーティクルボード（１８２０ｍｍ×６００ｍｍ×２５ｍｍ）からなる。防振材（２）  はポリ塩化ビニルエラストマー（アプコ社製、「サンプレーンＦＦ４０ＦＡ）で構成され、厚さ１０ｍｍのものである。
【００２１】
防振材の材質、厚み、支持脚の本数、接地面積を表２に示す。
【００２２】
実施例５（二重床）
この防振用床支持脚構造は、防振材をポリオレフィンエラストマーＡ（住友化学社製、「ＴＰＥ７５０５」）で構成されたものに代えた以外、実施例４と同じである。
【００２３】
実施例６（二重床）
この防振用床支持脚構造は、支持脚１本当たりの接地面積を表２に示すように変えた以外、実施例４と同じである。
【００２４】
比較例１（二重床）
この防振用床支持脚構造は、防振材を硬度６５の天然ゴム製のものに代えた以外、実施例４と同じである。
【００２５】
比較例５（二重床）
この防振用床支持脚構造は、防振材を硬度４５の天然ゴム製のものに代えた以外、実施例４と同じである。
【００２６】
比較例６（二重床）
この防振用床支持脚構造は、防振材を硬度４５の天然ゴム製のものに代え、支持脚１本当たりの接地面積を表２に示すように変えた以外、実施例４と同じである。
【００２７】
比較例７（二重床）
防振材およびこれに立設された支持脚として、万協システム社製の支持脚を用い、支持脚１本当たりの接地面積を表２に示すように変えた以外、実施例４と同じである。
【００２８】
実物性試験
＜圧縮荷重試験＞
上記防振材（直径５０ｍｍの円板）に直径４８ｍｍの円形圧縮板で荷重を加えていった。浴室床では、初期荷重Ｗは３６０ｋｇ／支持脚接地面積で算出し、防振材の単位面積当たりの荷重の増分ΔＷは運動エネルギー（０．５ｋｇ×０．５ｍ×重力加速度）と設定し、１４０ｋｇ／支持脚接地面積で算出し、初期荷重Ｗが掛かった時のたわみ量Ｌ、荷重の増分ΔＷが掛かった時のたわみ量の増分ΔＬからＥおよびΔＥを算出した（図１参照）。二重床では、防振材の単位面積当たりの初期荷重Ｗは３０ｋｇ／支持脚接地面積で算出し、防振材の単位面積当たりの荷重の増分ΔＷは運動エネルギー（２０ｋｇ×０．２５ｍ×重力加速度）と設定し、７００ｋｇ／支持脚接地面積で算出し、初期荷重Ｗが掛かった時のたわみ量Ｌ、荷重の増分ΔＷが掛かった時のたわみ量の増分ΔＬからＥおよびΔＥを算出した（図１参照）。
【００２９】
＜たわみ量＞
圧縮荷重試験より、下記の▲１▼および▲２▼について、実際に起こり得るたわみ量の増分を算出した。この値が大きいと、浴室では、排水管、換気ダクト、電気配線等の取付け部分での歪みが大きくなり、長期に亘って支障が生じる恐れがあり、二重床では、床が部分的に沈み込み不陸が生じ床敷物や壁紙が破れるなどの問題が生じ恐れがある。
【００３０】
浴室床では
▲１▼基準荷重１２０ｋｇ（壁材、天井、浴槽等の荷重の総和）／支持脚の接地面積、▲２▼最大荷重５００ｋｇ（基本荷重＋水２００ｋｇ＋人等の荷重１３０ｋｇの総和）／支持脚の接地面積。
【００３１】
二重床では
▲１▼基準荷重３０ｋｇ（パーティクルボード等の床下地材、フローリング等の床仕上げ材の荷重の総和）／支持脚の接地面積、
▲２▼最大荷重３００ｋｇ（基本荷重＋食器棚等の荷重２７０ｋｇの総和）／支持脚の接地面積。
【００３２】
＜騒音測定＞
床基盤の厚さ１５０ｍｍ、床面積１２ｍ２  の二階建の住宅で１階を５０ｍ３  の残響室とした評価棟において、２階において床を加振し（浴室床ではゴルフボールを用いて床を加振し）、１階に高さ１．５ｍの５か所にてオールパス（ＡＰ）最大音圧レベル、重量衝撃音（ＪＩＳ  Ａ１４１８−２に基づくオールパス（ＡＰ）最大音圧レベル）、軽量衝撃音（ＪＩＳ  Ａ１４４０に基づくオールパス（ＡＰ）平均音圧レベル）を計測した。
【００３３】
実施例および比較例の浴室床および二重床の各構成部材の寸法、本数、材質、接地面積、エネルギーＥ、たわみ量等を表１および表２にまとめてに示す。
【００３４】
実施例１〜３（浴室床）の防振用床支持脚構造では、下記関係式（Ｉ）
Ｅ＝ΔＥ×支持脚接地面積率＞１．５ジュール（Ｊ）      ……（Ｉ）
が成立する。
【００３５】
比較例１〜３（浴室床）の防振用床支持脚構造では、下記関係式（Ｉ）
Ｅ＝ΔＥ×支持脚接地面積率＞１．５ジュール（Ｊ）      ……（Ｉ）
は成立しない。
【００３６】
実施例４〜６（二重床）の防振用床支持脚構造では、下記関係式（Ｉ）
Ｅ＝ΔＥ×支持脚接地面積率＞７．５ジュール（Ｊ）      ……（Ｉ）
が成立する。
【００３７】
比較例４〜７（二重床）の防振用床支持脚構造では、下記関係式（Ｉ）
Ｅ＝ΔＥ×支持脚接地面積率＞７．５ジュール（Ｊ）      ……（Ｉ）
は成立しない。
【００３８】
【表１】
2004324118.tif 000003
【００３９】
【表２】
2004324118.tif 000004
【００４０】
【発明の効果】
本発明によれば、防振材は、エラストマーで構成され、かつ、圧縮荷重において防振材単位面積当たり初期荷重Ｗにその荷重の増分ΔＷが掛かった時の防振材単位面積当たりの吸収エネルギーが特定値より大きくなるようになされているので、床支持脚構造が床への衝撃を吸収して高い遮音性能を発現することができる。
【図面の簡単な説明】
【図１】たわみ量と荷重の関係を示すグラフである。
【図２】本発明による浴槽における防振用床支持脚構造を示す斜視図である。
【図３】本発明による二重床における防振用床支持脚構造を示す斜視図である。
【図４】本発明による二重床における防振用床支持脚構造を示す平面図である。
【図５】従来の防振用床支持脚構造を示す垂直断面図である。
【図６】従来の防振用床支持脚構造を示す垂直断面図である。
【符号の説明】
１：床基盤
２：防振材
３：支持脚
４：床ブロック
５：床下地材
【図１】
2004324118.tif 000005
【図２】
2004324118.tif 000006
【図３】
2004324118.tif 000007
【図４】
2004324118.tif 000008
【図５】
2004324118.tif 000009
【図６】
2004324118.tif 000010